(57)【要約】【課題】１対１の無線通信回線を確立させる手順において、その回線接続処理を所望の無線通信端末側から始めることができる無線通信端末及び無線通信システムを提供する。【解決手段】電子カメラ装置１０における通信制御部１５は、相手側端末に対して無線通信におけるデータリンク層プロトコルの接続要求を送信するホストモードと接続要求を送信しないターゲットモードを有し、ホストモードとターゲットモードのいずれかの通信モードで動作する。端末判定部１７ｅ１は、通信制御部１５で動作させている通信モードと同一の通信モードで動作中の外部端末が存在するか否かを判定する。端末判定部１７ｅ１により外部端末が存在すると判定された場合には、モード変更要求部１７ｅ２は、その外部端末に対して通信モードの変更を要求する。【選択図】図２
2010109608.tif 000002
【特許請求の範囲】
【請求項１】
無線通信を行う相手側端末に対して該無線通信におけるデータリンク層プロトコルの接続要求を送信する第１通信モードと該接続要求を送信しない第２通信モードを有し該第１通信モードと該第２通信モードのいずれかの通信モードで動作する外部端末との間で、該無線通信を中継する端末を介さずに１対１の無線通信を行う無線通信端末であって、
前記第１通信モードと前記第２通信モードとを有し、該第１通信モードと該第２通信モードのいずれかの通信モードで動作させる通信制御部と、
前記通信制御部で動作させている通信モードと同一の通信モードで動作中の前記外部端末が存在するか否かを判定する端末判定部と、
前記端末判定部により前記外部端末が存在すると判定された場合には、該外部端末に対して通信モードの変更を要求するモード変更要求部と、
を備えることを特徴とする無線通信端末。
【請求項２】
前記端末判定部は、
前記通信制御部で動作させている通信モードが前記第１通信モードのときに、前記接続要求の送信先の前記外部端末から該接続要求に対する応答を予め定められる所定期間内に受信しない場合、又は、前記外部端末からの前記接続要求を受信した場合には、前記外部端末が存在すると判定すること
を特徴とする請求項１に記載の無線通信端末。
【請求項３】
前記通信制御部は、
前記通信制御部で動作させている通信モードが前記第１通信モードのときに前記端末判定部により前記外部端末が存在すると判定された場合には、前記通信モードを前記第２通信モードで動作させ、
前記モード変更要求部は、
該存在すると判定された場合には、該外部端末からの前記接続要求に応じて前記通信モードの変更を要求する
ことを特徴とする請求項１に記載の無線通信端末。
【請求項４】
前記モード変更要求部は、
前記接続要求に対する接続拒否応答を応答すると共に、前記通信モードの変更を要求する
ことを特徴とする請求項３に記載の無線通信端末。
【請求項５】
前記端末判定部は、
前記通信制御部で動作させている通信モードが前記第２通信モードのときに前記外部端末から前記接続要求を予め定められる所定時間内に受信しない場合には、前記外部端末が存在すると判定する
ことを特徴とする請求項１に記載の無線通信端末。
【請求項６】
前記通信制御部は、
前記通信制御部で動作させている通信モードが前記第２通信モードのときに前記端末判定部により前記外部端末が存在すると判定された場合には、前記通信モードを前記第１通信モードで動作させ、
前記モード変更要求部は、
前記外部端末が存在すると判定された場合には、該外部端末に対して前記通信モードの変更を要求する
ことを特徴とする請求項１に記載の無線通信端末。
【請求項７】
前記モード変更要求部は、
該外部端末に対する前記接続要求を送信すると共に、前記通信モードの変更を要求する
ことを特徴とする請求項６に記載の無線通信端末。
【請求項８】
第１通信端末と第２通信端末とを対向させて中継する端末を介さずに１対１の無線通信を行う無線通信システムであって、
無線通信を行う相手側端末に対して該無線通信におけるデータリンク層プロトコルの接続要求を送信する第１通信モードと該接続要求を送信しない第２通信モードを有し、該第１通信モードと該第２通信モードのいずれかの通信モードで動作する第１通信制御部と、
前記第１通信制御部で動作させている通信モードと同一の通信モードで動作中の前記第２通信端末が存在するか否かを判定する端末判定部と、
前記端末判定部により前記第２通信端末が存在すると判定された場合、該第２通信端末に対して通信モードの変更を要求するモード変更要求部と、
を備える第１通信端末と、
前記第１通信モードと前記第２通信モードを有し、該第１通信モードと該第２通信モードのいずれかの通信モードで動作させるとともに、前記第１通信端末からの通信モードの変更の要求に応じ、前記動作させている通信モードを変更する第２通信制御部と、
を備える第２通信端末と、
を備えることを特徴とする無線通信システム。
【請求項９】
無線通信を行う相手側端末に対して該無線通信におけるデータリンク層プロトコルの接続要求を送信する第１通信モードと該接続要求を送信しない第２通信モードを有し該第１通信モードと該第２通信モードのいずれかの通信モードで動作する外部端末と、該無線通信を中継する端末を介さずに１対１の無線通信を行う無線通信端末であって、
前記第１通信モードと前記第２通信モードとを有し、該第１通信モードと該第２通信モードのいずれかの通信モードで動作させるとともに、前記外部端末から通信モードの変更の要求があった場合には、該要求に応じて前記動作させている通信モードを変更する通信制御部と、
を備えることを特徴とする無線通信端末。
【発明の詳細な説明】
【技術分野】
【０００１】
本発明は、無線通信端末及び無線通信システムに関する。
【背景技術】
【０００２】
無線通信端末の通信回線の構成として、中継装置を介さずに無線通信端末同士が１対１で通信を行う場合がある。無線通信端末同士で構成する回線構成では、その回線を接続する通信手順として、どちらの無線通信端末から処理を始めるかの役割をそれぞれの無線通信端末において定める必要がある。その役割において、通信接続手順における処理を始める側をホストと定義し、ホストからの通信接続要求を受け付ける側をターゲットとして定義する場合がある。
また、無線通信端末では、無線通信の接続に関するパラメータの設定を行う際に、各無線通信端末における通信手順の役割を合わせて決定する技術がある（例えば、特許文献１参照）。
【特許文献１】特開２００７―２５１９２２号公報
【発明の開示】
【発明が解決しようとする課題】
【０００３】
しかしながら、特許文献１では、無線接続に関するパラメータが設定されていない場合、或いは、パラメータ設定の必要がない場合には、その役割を決定する手順を行えず、役割の設定ができないという問題がある。すなわち、回線接続処理を所望の無線通信端末側から始めようとしても、その役割（ホストまたはターゲット）を割り付けることができないことにより、通信を開始できない場合が生じるという問題がある。
【０００４】
本発明は、上記問題を解決すべくなされたもので、その目的は、１対１の無線通信回線を接続する処理において、各無線通信端末に所望の役割（ホストまたはターゲット）を割り当てることができる無線通信端末及び無線通信システムを提供することにある。
【課題を解決するための手段】
【０００５】
上記問題を解決するために、本発明は、無線通信を行う相手側端末に対して該無線通信におけるデータリンク層プロトコルの接続要求を送信する第１通信モードと該接続要求を送信しない第２通信モードを有し該第１通信モードと該第２通信モードのいずれかの通信モードで動作する外部端末と、該無線通信を中継する端末を介さずに１対１の無線通信を行う無線通信端末であって、前記第１通信モードと前記第２通信モードとを有し、該第１通信モードと該第２通信モードのいずれかの通信モードで動作させる通信制御部と、前記通信制御部で動作させている通信モードと同一の通信モードで動作中の前記外部端末が存在するか否かを判定する端末判定部と、前記端末判定部により前記外部端末が存在すると判定された場合には、該外部端末に対して通信モードの変更を要求するモード変更要求部と、を備えることを特徴とする無線通信端末である。
【０００６】
また、本発明は、上記発明において、前記端末判定部は、前記通信制御部で動作させている通信モードが前記第１通信モードのときに、前記接続要求の送信先の前記外部端末から該接続要求に対する応答を予め定められる所定期間内に受信しない場合、又は、前記外部端末からの前記接続要求を受信した場合には、前記外部端末が存在すると判定することとする。
また、本発明は、上記発明において、前記通信制御部は、前記通信制御部で動作させている通信モードが前記第１通信モードのときに前記端末判定部により前記外部端末が存在すると判定された場合には、前記通信モードを前記第２通信モードで動作させ、前記モード変更要求部は、該存在すると判定された場合には、該外部端末からの前記接続要求に応じて前記通信モードの変更を要求することとする。
【０００７】
また、本発明は、上記発明において、前記モード変更要求部は、前記接続要求に対する接続拒否応答を応答すると共に、前記通信モードの変更を要求することとする。
また、本発明は、上記発明において、前記端末判定部は、前記通信制御部で動作させている通信モードが前記第２通信モードのときに前記外部端末から前記接続要求を予め定められる所定時間内に受信しない場合には、前記外部端末が存在すると判定することとする。
また、本発明は、上記発明において、前記通信制御部は、前記通信制御部で動作させている通信モードが前記第２通信モードのときに前記端末判定部により前記外部端末が存在すると判定された場合には、前記通信モードを前記第１通信モードで動作させ、前記モード変更要求部は、前記外部端末が存在すると判定された場合には、該外部端末に対して前記通信モードの変更を要求することとする。
また、本発明は、上記発明において、前記モード変更要求部は、該外部端末に対する前記接続要求を送信すると共に、前記通信モードの変更を要求することとする。
【０００８】
また、本発明は、第１通信端末と第２通信端末とを対向させて中継する端末を介さずに１対１の無線通信を行う無線通信システムであって、無線通信を行う相手側端末に対して該無線通信におけるデータリンク層プロトコルの接続要求を送信する第１通信モードと該接続要求を送信しない第２通信モードを有し、該第１通信モードと該第２通信モードのいずれかの通信モードで動作する第１通信制御部と、前記第１通信制御部で動作させている通信モードと同一の通信モードで動作中の前記第２通信端末が存在するか否かを判定する端末判定部と、前記端末判定部により前記第２通信端末が存在すると判定された場合、該第２通信端末に対して通信モードの変更を要求するモード変更要求部と、を備える第１通信端末と、前記第１通信モードと前記第２通信モードを有し、該第１通信モードと該第２通信モードのいずれかの通信モードで動作させるとともに、前記第１通信端末からの通信モードの変更の要求に応じ、前記動作させている通信モードを変更する第２通信制御部と、を備える第２通信端末と、を備えることを特徴とする無線通信システムである。
【０００９】
また、本発明は、無線通信を行う相手側端末に対して該無線通信におけるデータリンク層プロトコルの接続要求を送信する第１通信モードと該接続要求を送信しない第２通信モードを有し該第１通信モードと該第２通信モードのいずれかの通信モードで動作する外部端末と、該無線通信を中継する端末を介さずに１対１の無線通信を行う無線通信端末であって、前記第１通信モードと前記第２通信モードとを有し、該第１通信モードと該第２通信モードのいずれかの通信モードで動作させるとともに、前記外部端末から通信モードの変更の要求があった場合には、該要求に応じて前記動作させている通信モードを変更する通信制御部と、を備えることを特徴とする無線通信端末である。
【発明の効果】
【００１０】
本発明によれば、１対１の無線通信回線を接続する処理において、各無線通信端末に所望の役割（ホストまたはターゲット）を割り当てることができる。
【発明を実施するための最良の形態】
【００１１】
以下、本発明の一実施形態について図を参照して説明する。
（第１実施形態）
図１は、第１実施形態における通信システムの構成を示すブロック図である。
図に示される無線通信システムは、無線通信端末として、電子カメラ装置１０とプリンタ装置２０を対向させて、１対１の通信を行う構成を備える。この無線通信システム１は、ユーザ３０によって行われる操作を、無線通信端末である電子カメラ装置１０或いはプリンタ装置２０が検出して、通信を開始して電子カメラ装置１０に記憶された画像データをプリンタ装置２０に送信する。
【００１２】
図２は、第１実施形態における無線通信端末の構成を示すブロック図である。
図に示される無線通信端末は、無線通信機能を備える電子カメラ装置１０である。
電子カメラ装置１０は、撮像部１１、記録媒体１２、操作部１３、表示部１４、通信制御部１５、記憶部１６及び制御部１７を備える。前述の図１に示した構成と同じ構成には、同じ符号を付す。
電子カメラ装置１０における撮像部１１は、被写体を撮影して撮像信号を生成するとともに、種々の画像処理を行って画像データを作成する。作成された画像データは、記録媒体１２に記録される。記録媒体１２には、電子カメラ装置１０に着脱可能なメモリカードや、電子カメラ装置１０に固定されたハードディスク装置などが用いられる。操作部１３は、電子カメラ装置１０の動作に関する指示を入力するための操作スイッチなどを備え、ユーザ３０によって行われた操作入力を検出する。表示部１４は、記録媒体１２から読み出された画像データ、或いはユーザインターフェース画面等を表示する。
【００１３】
通信制御部１５は、プリンタ装置２０をはじめ、パーソナルコンピュータや外部記録装置などの外部機器との間で撮影画像等のデータ授受を行う無線通信インタフェースである。通信制御部１５に適用される無線通信インタフェースとしては、ＷＬＡＮ（Wireless Local Area Network）、Ｂｌｕｔｏｏｔｈ、ＩｒＤＡ(Infrared DATA)、ＴｒａｎｓｆｅｒＪＥＴ、ＷｉＭｅｄｉａなどの無線通信を行うインタフェースを有する。
通信制御部１５は、データリンク層プロトコルの通信処理を行う機能を有する。通信制御部１５は、通信を開始させる接続要求メッセージを送出するホストモード処理部１５ｈと、通信を開始させる接続要求メッセージを送出しないターゲットモード処理部１５ｔとを備える。
ホストモード処理部１５ｈは、対向するプリンタ装置２０に対して、上位の通信処理からの要求に応じて接続要求メッセージを送出して、通信回線接続処理を起動することができる。ホストモード処理部１５ｈは、送出した接続要求メッセージに対して、対向するプリンタ装置２０から返送される接続許可メッセージを受信して通信回線接続を確立する。ホストモード処理部１５ｈは、送出した接続要求メッセージに対して、対向するプリンタ装置２０から返送される接続拒否メッセージを受信すると通信回線接続処理を中断する。さらに、ホストモード処理部１５ｈは、対向するプリンタ装置２０から送出される接続要求メッセージを受信しても、応答するメッセージを送出しない。ホストモード処理部１５ｈは、受信したメッセージに基づいた判定の結果を上位の通信処理に通知する。
ターゲットモード処理部１５ｔは、対向するプリンタ装置２０から送出される接続要求メッセージを受信し、接続が必要であると判定されると接続許可メッセージを返送する。
【００１４】
記憶部１６は、ＲＡＭ１６ｒ、フラッシュメモリ１６ｆなどにより構成される。
フラッシュメモリ１６ｆには制御プログラムの他に、撮影パラメータや通信パラメータ（データ通信プロトコル情報等）、各部の動作状態等が記録される。
制御部１７は、図示されないＣＰＵ（Central Processing Unit）などの論理処理部が設けられ、フラッシュメモリ１６ｆに記録されている制御プログラムを読み出し、論理処理部によって制御プログラムを実行し、ＲＡＭに記憶される種々のデータを読み書きすることにより、電子カメラ装置１０の各部の動作を統括的に制御する。
【００１５】
制御部１７は、撮像部制御処理部１７ａ、記録媒体制御部１７ｂ、操作部制御処理部１７ｃ、表示制御処理部１７ｄ、通信制御処理部１７ｅを備える。
撮像部制御処理部１７ａは、記憶部１６に記憶される撮影パラメータを参照し、撮像部１１に制御信号を送出し、撮影時に生成された画像データを参照し記憶部１６に割り付けられた記憶領域に記録する。記録媒体制御部１７ｂは、記憶部１６に記憶された画像データを参照し、記録媒体１２に記録する。また、記録媒体１２に記録された画像データを参照し、記憶部１６に割り付けられた記憶領域に記録する。操作部制御処理部１７ｃは、操作部１３によって検出された操作入力に基づいて、各部への制御情報を通知する。表示制御処理部１７ｄは、記憶部１６に記憶された画像データを参照し、表示部１４に表示させる。表示制御処理部１７ｄは、操作部１３の操作に必要とされるユーザインターフェース画面を生成し、表示部１４に表示させる。
【００１６】
通信制御処理部１７ｅは、記憶部１６に記憶された通信パラメータ（データ通信プロトコル情報等）を参照し、通信制御部１５の制御を行うと共に、通信制御部１５を介して通信される通信の上位処理手順が処理される。
通信制御処理部１７ｅは、通信制御部１５の制御に関する端末判定処理部１７ｅ１とモード変更要求処理部１７ｅ２を備える。
端末判定処理部１７ｅ１は、通信制御部１５において動作させている通信モードの設定を管理し、通信制御部１５が受信した結果に基づいて、対向するプリンタ装置２０で動作している通信モードの判定を行う。
端末判定処理部１７ｅ１は、ホストモード処理部１５ｈから接続要求メッセージを送出した後、その接続要求に対する応答メッセージ（接続許可応答、または接続拒否応答）を予め定められる所定期間内にプリンタ装置２０から受信したことをホストモード処理部１５ｈから通知されない場合、又は、プリンタ装置２０からの接続要求メッセージを受信したことをホストモード処理部１５ｈから通知された場合には、プリンタ装置２０によって動作している通信モードが、同じホストモードであると判定する。
【００１７】
モード変更要求処理部１７ｅ２は、通信制御部１５において動作させる通信モードの役割切換の制御を行い、通信制御部１５にホストモード処理部１５ｈとターゲットモード処理部１５ｔとを切換える指示を送出して、いずれか一方を動作させる。モード変更要求処理部１７ｅ２は、通信制御部１５における通信モードの役割に応じて、プリンタ装置２０側の役割を切り換える要求を通信制御部１５から送出する指示をする。
【００１８】
図３は、第１実施形態における無線通信端末の構成を示すブロック図である。
図に示される無線通信端末は、無線通信機能を備えるプリンタ装置２０である。
プリンタ装置２０は、印刷部２１、操作部２２、通信制御部２３、記憶部２４及び制御部２５を備える。前述の図１に示した構成と同じ構成には、同じ符号を付す。
プリンタ装置２０における印刷部２１は、通信制御部２３によって受信し、印刷データを図示されない印刷用紙に印刷する。操作部２２は、プリンタ装置２０の動作に関する指示を入力するための操作スイッチなどを備える。
【００１９】
通信制御部２３は、電子カメラ装置１０をはじめ、パーソナルコンピュータや外部記録装置などの外部機器との間で撮影画像等のデータ授受を行う無線通信インタフェースである。通信制御部２３に適用される無線通信インタフェースとしては、ＷＬＡＮ（Wireless Local Area Network）、Ｂｌｕｔｏｏｔｈ、ＩｒＤＡ(Infrared DATA)、ＴｒａｎｓｆｅｒＪＥＴ、ＷｉＭｅｄｉａなどの無線通信を行うインタフェースを有する。
【００２０】
通信制御部２３は、データリンク層プロトコルの通信処理を行う機能を有する。通信制御部２３は、通信開始する接続要求メッセージを送出するホストモード処理部２３ｈと、通信開始する接続要求メッセージを送出しないターゲットモード処理部２３ｔとを備える。
ホストモード処理部２３ｈは、対向する電子カメラ装置１０に対して、上位の通信処理からの要求に応じて接続要求メッセージを送出して、通信回線接続を起動することができる。ホストモード処理部２３ｈは、送出した接続要求メッセージに対して、対向する電子カメラ装置１０から返送される接続許可メッセージを受信して通信回線接続を確立する。ホストモード処理部２３ｈは、送出した接続要求メッセージに対して、対向する電子カメラ装置１０から返送される接続拒否メッセージを受信すると通信回線接続処理を中断する。さらに、ホストモード処理部２３ｈは、対向する電子カメラ装置１０から送出される接続要求メッセージを受信しても、応答するメッセージを送出しない。ホストモード処理部２３ｈは、受信したメッセージに基づいた判定の結果を上位の通信処理に通知する。
ターゲットモード処理部２３ｔは、対向する電子カメラ装置１０から送出される接続要求メッセージを受信し、接続が必要であると判定されると接続許可メッセージを返送する。
【００２１】
記憶部２４は、ＲＡＭ２４ｒ、フラッシュメモリ２４ｆなどにより構成される。
フラッシュメモリ２４ｆには制御プログラムの他に、印刷パラメータや通信設定パラメータ（データ通信プロトコル情報等）、各部の動作状態等が記録されている。
制御部２５はフラッシュメモリ２４ｆに記録されている制御プログラムを読み出し実行し、ＲＡＭ２４ｒに種々のデータ読み書きすることにより、プリンタ装置２０の各部の動作を統括的に制御する。
【００２２】
制御部２５は、印刷制御処理部２５ａ、操作部制御処理部２５ｂ及び通信制御処理部２５ｃを備える。
印刷部制御処理部２５ａは、記憶部２４に記憶される印刷パラメータを参照し、印刷部２１に制御信号を送出する。印刷部制御処理部２５ａは、通信制御部２３を介して受信し、記憶部２４に割り付けられた記憶領域に記録された画像データを印刷部２１に入力して、印刷部２１に印刷させる。
操作部制御処理部２５ｂは、操作部２２によって検出された操作入力に基づいて、各部への制御情報を通知する。
【００２３】
通信制御処理部２５ｃは、記憶部２４に記憶された通信パラメータ（データ通信プロトコル情報等）を参照し、通信制御部２３の制御を行うと共に、通信制御部２３を介して通信される通信の上位処理手順が処理される。
通信制御処理部２５ｃは、通信制御部２３の制御に関する端末判定処理部２５ｃ１とモード変更要求処理部２５ｃ２を備える。
端末判定処理部２５ｃ１は、通信制御部２３において動作させている通信モードの設定を管理して記憶部２４に記録する。また、端末判定処理部２５ｃ１は、通信制御部２３で受信した結果に基づいて、対向する電子カメラ装置１０で動作している通信モードの判定を行う。
【００２４】
端末判定処理部２５ｃ１は、ホストモード処理部２３ｈから接続要求メッセージを送出した後、その接続要求に対する応答メッセージ（接続許可応答、または接続拒否応答）を予め定められる所定期間内に電子カメラ装置１０から受信したことをホストモード処理部２３ｈから通知されない場合、又は、電子カメラ装置１０からの接続要求メッセージを受信したことをホストモード処理部２３ｈから通知された場合には、電子カメラ装置１０によって動作している通信モードが、同じホストモードであると判定する。
モード変更要求処理部２５ｃ２は、通信制御部２３において動作させる通信モードの役割切換の制御を行い、通信制御部２３に、ホストモード処理部２３ｈとターゲットモード処理部２３ｔとの切換を指示して、いずれか一方を動作させる。モード変更要求処理部２５ｅ２は、通信制御部２３における通信モードの役割に応じて、電子カメラ装置１０側の役割を切り換える要求を通信制御部２３から送出する指示をする。
【００２５】
図４は、第１実施形態における無線通信端末の接続手順の役割を示す図である。
図４（ａ）は、無線通信システム１を用いて、ユーザ３１が電子カメラ装置１０ｈを操作してプリンタ装置２０ｔに印刷要求を行うアプリケーションに適応される構成を示す。図に示される構成において、ユーザ３１が操作する装置から回線接続要求を送信するため、そのデータリンク層プロトコルにおける役割は、電子カメラ装置１０ｈがホスト、プリンタ装置２０ｔはターゲットとなる。
図４（ｂ）は、無線通信システム１を用いて、ユーザ３２がプリンタ装置２０ｈを操作して電子カメラ装置１０ｔ内の画像を印刷するアプリケーション適応される構成を示す。図に示される構成において、ユーザ３２が操作する装置から回線接続要求を送信するため、そのデータリンク層プロトコルにおける役割は、電子カメラ装置１０ｔがターゲット、プリンタ装置２０ｈはホストとなる。
電子カメラ装置１０ｈとプリンタ装置２０ｔ、及び、電子カメラ装置１０ｔとプリンタ装置２０ｈのそれぞれの装置は、ホスト機能（ホストモード）とターゲット機能（ターゲットモード）の両方の機能を有する。すなわち、電子カメラ装置１０とプリンタ装置２０を利用して、それぞれのアプリケーションに適用するために、ホスト機能（ホストモード）とターゲット機能（ターゲットモード）の役割を切換えた状態を示す。
図に示された構成では、それぞれ対向して通信可能な構成を示している。
【００２６】
図５は、第１実施形態における無線通信端末の接続手順を示すシーケンス図である。
この図に示されるように、ホスト機能（ホストモード）に設定された無線通信端末から、接続要求メッセージを送出し、ターゲット機能（ターゲットモード）に設定された無線通信端末ではそのメッセージを受信する。ターゲット機能（ターゲットモード）に設定された無線通信端末では、受信した接続要求メッセージに応じて、接続許可メッセージを送出する。接続許可メッセージを受信した、ホスト機能（ホストモード）に設定された無線通信端末は、回線が接続されたことを検出する。このように、本実施形態におけるホスト機能とは、接続要求を行う機器が備える通信機能を示し、ターゲット機能とは接続要求を受け付ける機器が備える機能を示す。
【００２７】
図６は、第１実施形態における無線通信端末の通信手順におけるメッセージ構成を示す図である。
図６(ａ)、（ｂ）及び（ｃ）は、データリンク層プロトコルにおける接続制御を行うためのメッセージを示す。
それぞれの図に示されるメッセージのフレームは、共通のフレーム構造を有している。
接続要求メッセージ１００Ｓは、フレーム構造を備えている。そのフレーム構造を構成する要素として、送信先識別子（以下、送信先ＩＤという。）１１０、送信元識別子（以下、送信元ＩＤという。）１２０、コントロールデータ１３０及びデータ１４０、ＣＲＣ１５０を備えている。
【００２８】
送信先ＩＤ１１０には、そのメッセージを送信する相手の識別子（ＩＤ）が設定される。但し、接続要求メッセージ時は相手機器が特定されていない場合は、FF-FF-FF-FF-FF-FF-FF-FF等の特殊な識別子（ＩＤ）が設定される。送信元ＩＤ１２０には、自機器の識別子（ＩＤ）が設定され、コントロールデータ１３０には、メッセージ種別と役割変更要求情報などが設定される。メッセージ種別は、接続要求メッセージＭ１、接続許可メッセージＭ２、接続拒否メッセージＭ３などの回線接続制御を行う制御情報を示す。
役割変更要求情報は、役割変更要求を示す情報などが設定される。役割変更要求は、通信を開始する機能について、相手機器の役割を設定されている役割から変更する要求をするためのものである。例えば、相手機器に変更を要求する場合を１に、変更を要求しない場合を０と定義する。
データ１４０には、接続を可能なデータ転送プロトコル種別が設定され、接続可能なデータ転送プロトコルが複数ある場合は、列挙する。また、複数のデータ転送プロトコルにより接続を期待する順に優先付けして、その優先順位が高い順にデータ転送プロトコル種別を列挙することにより、相手機器とのネゴシエーションによって所望のデータ転送プロトコルが選択されやすくなる。
ＣＲＣ１５０は、このフレームによって示されたデータについてＣＲＣ演算を行った情報を示す。
【００２９】
図６（ａ）に、接続要求メッセージ１００Ｓの構成を示す。
接続要求メッセージ１００Ｓにおけるコントロールデータ１３０には、接続要求メッセージＭ１及び役割変更要求情報Ｃ４が含まれている。
通信回線の接続要求に合わせて、役割変更要求を通知しない接続要求メッセージ１００Ｓにおける役割変更要求情報Ｃ４には、「０」が設定される。接続要求メッセージ１００Ｓは、通信回線の接続要求のみを示すメッセージとなる。
また、通信回線の接続要求に合わせて、相手機器の役割をターゲットからホストに変更する要求を通知する接続要求メッセージ１００Ｓ４における役割変更要求情報Ｃ４には、「１」が設定される。
【００３０】
図６（ｂ）に、接続許可メッセージ１００Ｒの構成を示す。
接続許可メッセージ１００Ｒにおけるコントロールデータ１３０には、接続許可メッセージＭ２が含まれている。接続許可メッセージ１００Ｒは、受信した接続要求メッセージ１００Ｓ４、１００Ｓに応じて、接続許可の応答をするメッセージである。
接続許可メッセージ１００Ｒにおける構成し、送信先ＩＤおよび送信元ＩＤは接続要求メッセージと同様で、コントロールデータにはメッセージ種別（接続許可メッセージ）等が設定され、データには接続を行うデータ転送プロトコル種別が設定される。
【００３１】
図６（ｃ）に、接続拒否メッセージ１００Ａの構成を示す。
接続拒否メッセージ１００Ａにおけるコントロールデータ１３０には、接続拒否メッセージＭ３及び役割変更要求情報Ｃ５が含まれている。
通信回線の接続要求に対する接続拒否の応答に合わせて、役割変更要求を通知しない接続拒否メッセージ１００Ａにおける役割変更要求情報Ｃ５には、「０」が設定される。接続拒否メッセージ１００Ａは、通信回線の接続要求の接続拒否のみを示すメッセージとなる。
通信回線の接続要求に対する接続拒否の応答に合わせて、役割変更要求を通知する接続拒否メッセージ１００Ａ５における役割変更要求情報Ｃ５には、「１」が設定される。
さらに、データ１４０には自機が対応可能なデータ転送プロトコル種別が設定され、対応可能なプロトコルが複数ある場合には列挙される。
【００３２】
図７は、第１実施形態における接続処理開始時における無線通信端末の役割を示すブロック図である。
図に示される電子カメラ装置１０ｈは、図４（ａ）のアプリケーションを想定した動作を予定し、ホストモードに設定されている。また、プリンタ装置２０ｈは、図４（ｂ）のアプリケーションを想定した動作を予定し、ホストモードに設定されている。すなわち、双方の装置が異なるアプリケーションを想定した動作を予定し、いずれの装置も、ホストモードに設定されているため、この状態のままでは通信を開始することはできない。
そこで、図示されないユーザ３１が電子カメラ装置１０ｈを操作してプリンタ装置２０に印刷要求を行うアプリケーションに適応するための処理について、以下に示す。
このような状況に適応するために、電子カメラ装置１０は、プリンタ装置２０の通信モードの設定変更を制御することにより、通信可能な前述の図４（ａ）に示した状態とすることを可能とする。
【００３３】
図８は、第１実施形態における接続処理における役割変更手順を示すシーケンス図である。
図に示されるシーケンス図におけるデータリンク層プロトコルでの役割の初期状態は、図７に示した電子カメラ装置１０の設定がホストモード、プリンタ装置２０の設定もホストモードの状態に、それぞれ設定されている。すなわち、ホストモード処理部１５ｈとホストモード処理部２３ｈが機能する状態にある（ステップＳａ１１及び１２）。
ユーザ３１によるカメラ装置１０の記録媒体１２に記憶されている画像データをプリンタ装置２０において印刷する操作がカメラ装置１０の操作部に行われ、その操作入力を操作部１３が検出する。制御部１７における操作部制御処理部１７ｃは、操作部１３の検出結果に基づいて判定した結果、通信要求を検出する（ステップＳａ１３）。
制御部１７における通信制御処理部１７ｅは、通信制御部１５におけるホストモード処理部１５ｈに、接続要求メッセージ１００Ｓの送出を指示する（ステップＳａ１４ｔ）。プリンタ装置２０は、接続要求メッセージ１００Ｓを受信しても、通信制御部２３におけるホストモード処理部２３ｈは、応答することができず、非応答となる（ステップＳａ１４ｒ）。
【００３４】
一方、プリンタ装置２０における通信制御処理部２５ｃが、通信制御部２３におけるホストモード処理部２３ｈに、接続要求メッセージ１００Ｓの送出を指示すると、接続要求メッセージ１００Ｓを電子カメラ装置１０に送出する。通信制御部２３は、接続許可メッセージを検出するまで、接続要求メッセージ１００Ｓを予め定められた周期Ｔ２で送出し続ける。予め定められた周期Ｔ２は、例えば、１秒間に１０回程度に設定する（ステップＳａ１５ｔ）。
電子カメラ装置１０は、プリンタ装置２０からの接続要求メッセージ１００Ｓを受信しても、通信制御部１５におけるホストモード処理部１５ｈは、応答することができず、非応答となる（ステップＳａ１５ｒ）。
通信制御処理部１７における端末判定処理部１７ｅ１は、予め定められた時間Ｔ１が経過するまで、電子カメラ装置１０が送信した接続要求メッセージ１００Ｓに対する接続許可メッセージ１００Ｒは受信されないことになる。プリンタ装置２０（ホストモード処理部２３ｈ）は、電子カメラ装置１０が送信した接続要求メッセージ１００Ｓに対して接続許可メッセージ１００Ｒを送信しないことによる。端末判定処理部１７ｅ１は、時間Ｔ１が経過すると、プリンタ装置２０が同じホストモードで動作しているものと判定する。モード変更要求処理部１７ｅ２は、端末判定処理部１７ｅ１によって判定された結果に基づいて、通信制御部１５におけるホストモード処理部１５ｈの動作を中断させて、ターゲットモード処理部１５ｔに切り換える。周期Ｔ１は、周期Ｔ２に比べ十分に長い時間であり、例えば、１秒程度に設定する（ステップＳａ１６）。
【００３５】
この通信モードの切換により、電子カメラ装置１０は、プリンタ装置２０からの接続要求メッセージ１００Ｓを受信することが可能になる。通信制御部１５におけるターゲットモード処理部１５ｔは、プリンタ装置２０からの接続要求メッセージ１００Ｓを検出し、検出した結果を、制御部１７に通知する（ステップＳａ１７ｒ）。
モード変更要求処理部１７ｅ２は、通信制御部１５におけるターゲットモード処理部１５ｔに、役割変更要求を含んだ接続拒否メッセージ１００Ａ５を送出する指示を行う。
ターゲットモード処理部１５ｔは、指示に基づいて、役割変更要求を含んだ接続拒否メッセージ１００Ａ５を送出する（ステップＳａ１８ｔ）。
プリンタ装置２０における通信制御部２３において、ホストモード処理部２３ｈは、送付された役割変更要求を含んだ接続拒否メッセージ１００Ａ５を検出し、検出結果を制御部２５に通知する（ステップＳａ１８ｒ）。
【００３６】
モード変更要求処理部１７ｅ２は、ステップＳａ１８ｔの後、通信制御部１５におけるターゲットモード処理部１５ｔの動作を中断して、ホストモード処理部１５ｈに切り換える（ステップＳａ１９）。
モード変更要求処理部２５ｅ２は、ステップＳａ１８ｒの検出結果の通知に基づいて、通信制御部２３におけるホストモード処理部２３ｈの動作を中断させて、ターゲットモード処理部１５ｔに切り換える（ステップＳａ２０）。
【００３７】
改めて、制御部１７におけるモード変更要求処理部１７ｅ２は、通信制御部１５におけるホストモード処理部１５ｈに、接続要求メッセージ１００Ｓの送出を指示する（ステップＳａ２１ｔ）。プリンタ装置２０は、接続要求メッセージ１００Ｓをターゲットモード処理部２３ｔによって受信して、検出結果を制御部２５に通知する（ステップＳａ２１ｒ）。
プリンタ装置２０が受信した接続要求メッセージ１００Ｓに応じて、ターゲットモード処理部２３ｔは、接続許可メッセージ１００Ｒを電子カメラ装置１０に送出する（ステップＳａ２２ｔ）。
プリンタ装置２０が送信した接続許可メッセージ１００Ｒを電子カメラ装置１０における通信制御処理部１７ｅが受信する（ステップＳａ２２ｒ）。
以上に示した手順により、電子カメラ装置１０をホストモードとした通信回線を確立することができる。
【００３８】
（第２実施形態）
図９は、第１実施形態における接続処理開始時における無線通信端末の役割を示すブロック図である。
図に示される電子カメラ装置１０ｔは、図４（ｂ）のアプリケーションを想定した動作を予定し、ターゲットモードに設定されている。また、プリンタ装置２０ｔは、図４（ａ）のアプリケーションを想定した動作を予定し、ターゲットモードに設定されている。すなわち、双方の装置が異なるアプリケーションを想定した動作を予定し、いずれの装置も、ターゲットモードに設定されているため、このままでは通信できない。
そこで、図示されないユーザ３１が電子カメラ装置１０ｈを操作してプリンタ装置２０に印刷要求を行うアプリケーションに適応するための処理について、以下に示す。
このような状況に適応するために、電子カメラ装置１０は、プリンタ装置２０の通信モードの設定変更を制御することにより、通信可能な前述の図４（ａ）に示した状態とすることを可能とする。
【００３９】
図１０は、第２実施形態における接続処理における役割変更手順を示すシーケンス図である。
図に示されるシーケンス図におけるデータリンク層プロトコルでの役割の初期状態は、図９に示した電子カメラ装置１０の設定がターゲットモード、プリンタ装置２０の設定もターゲットモードに、それぞれ設定されている。すなわち、それぞれターゲットモード処理部１５ｔとターゲットモード処理部２３ｔが機能する状態にある（ステップＳｂ２１及び２２）。
ユーザ３１によるカメラ装置１０の記録媒体１２に記憶されている画像データをプリンタ装置２０において印刷する操作がカメラ装置１０の操作部に行われ、その操作入力を操作部１３が検出する。制御部１７における操作部制御処理部１７ｃは、操作部１３の検出結果に基づいて判定した結果、通信要求を検出する（ステップＳｂ２３）。
カメラ装置１０のターゲットモード処理部１５ｔは、受信状態を継続するが、プリンタ装置２０は、メッセージを送出しないので何も受信しない状態のまま、予め定められた所定の時間Ｔ１が経過する。周期Ｔ１は、例えば、１秒程度に設定する（ステップＳｂ２４）。
【００４０】
通信制御処理部１７における端末判定処理部１７ｅ１は、予め定められた時間Ｔ１が経過するまで、何も受信しなかったので、プリンタ装置２０は、同じ通信モードで動作していると判定する。モード変更要求処理部１７ｅ２は、その判定の結果に基づいて、通信制御部１５におけるターゲットモード処理部１５ｔの動作を中断して、ホストモード処理部１５ｈに切り換える（ステップＳｂ２５）。
【００４１】
制御部１７における通信制御処理部１７ｅは、通信制御部１５におけるホストモード処理部１５ｈに、役割変更要求を含んだ接続要求メッセージ１００Ｓ４の送出を指示する（ステップＳｂ２６ｔ）。
プリンタ装置２０は、役割変更要求を含んだ接続要求メッセージ１００Ｓを受信して、通信制御部２３におけるターゲットモード処理部２３ｔは、受信した接続要求メッセージ１００Ｓから、含まれる役割変更要求とともに接続要求メッセージ１００Ｓを検出する（ステップＳｂ２６ｒ）。
プリンタ装置２０が受信した接続要求メッセージ１００Ｓに応じて、ターゲットモード処理部２３ｔは、接続許可メッセージ１００Ｒを電子カメラ装置１０に送出する（ステップＳｂ２７ｔ）。
プリンタ装置２０が送信した接続許可メッセージ１００Ｒを電子カメラ装置１０における通信制御処理部１７ｅが受信する（ステップＳｂ２７ｒ）。
【００４２】
モード変更要求処理部１７ｅ２は、ステップＳａ２７ｔの後、通信制御部１５におけるホストモード処理部１５ｈの動作を中断して、ターゲットモード処理部１５ｔに切り換える（ステップＳｂ２８）。
モード変更要求処理部２５ｅ２は、ステップＳａ２７ｒの検出結果の通知に基づいて、通信制御部２３におけるターゲットモード処理部２３ｔの動作を中断して、ホストモード処理部２３ｈに切り換える（ステップＳｂ２９）。
一方、プリンタ装置２０における通信制御処理部２５ｃが、通信制御部２３におけるホストモード処理部２３ｈに、接続要求メッセージ１００Ｓの送出を指示すると、接続要求メッセージ１００Ｓを電子カメラ装置１０に送出する（ステップＳｂ３０ｔ）。電子カメラ装置１０は、プリンタ装置２０からの接続要求メッセージ１００Ｓを受信して、受信した結果を制御部１７に通知する（ステップＳｂ３０ｒ）。
電子カメラ装置１０が受信した接続要求メッセージ１００Ｓに応じて、ターゲットモード処理部１５ｔは、接続許可メッセージ１００Ｒをプリンタ装置２０に送出する（ステップＳｂ３１）。電子カメラ装置１０が送信した接続許可メッセージ１００Ｒをプリンタ装置２０における通信制御処理部２５ｅが受信する（ステップＳｂ３１ｒ）。
以上に示した手順により、電子カメラ装置１０をホストモードとした通信回線を確立することができる。
【００４３】
すなわち、電子カメラ装置１０（プリンタ装置２０）は、無線通信を行う相手側端末に対してその無線通信におけるデータリンク層プロトコルの接続要求を送信するホストモードと接続要求を送信しないターゲットモードのいずれかの通信モードで動作するプリンタ装置２０（電子カメラ装置１０）と、その無線通信を中継する端末を介さずに１対１の無線通信を行う。電子カメラ装置１０（プリンタ装置２０）の通信制御部１５(２３)は、ホストモードとターゲットモードとを有し、いずれかの通信モードで動作させる。端末判定部は、通信制御部１５(２３)で動作させている通信モードと同一の通信モードで動作中のプリンタ装置２０（電子カメラ装置１０）が存在するか否かを判定する。モード変更要求部１７ｅ２(２３ｃ２)は、端末判定部によりプリンタ装置２０（電子カメラ装置１０）が存在すると判定された場合、そのプリンタ装置２０（電子カメラ装置１０）に対して通信モードの変更を要求する。
これにより、１対１の無線通信における回線接続処理を、ホストモードで動作する無線通信端末を所望の無線通信端末に割り付けることが可能となる。そして、無線通信端末は、回線接続処理を、所望の無線通信端末側から始めることが可能となる。
【００４４】
また、端末判定部は、通信制御部１５(２３)で動作させている通信モードがホストモードのときに、接続要求の送信先のプリンタ装置２０（電子カメラ装置１０）から接続要求に対する応答を予め定められる所定期間内に受信しない場合、又は、プリンタ装置２０（電子カメラ装置１０）からの接続要求を受信した場合には、プリンタ装置２０（電子カメラ装置１０）が存在すると判定する。
これにより、電子カメラ装置１０（プリンタ装置２０）は、プリンタ装置２０（電子カメラ装置１０）もホストモードで動作していると判定することが可能となる。
【００４５】
また、通信制御部１５(２３)は、通信制御部１５(２３)で動作させている通信モードがホストモードのときに端末判定部によりプリンタ装置２０（電子カメラ装置１０）が存在すると判定された場合には、通信モードをターゲットモードで動作させ、モード変更要求部１７ｅ２(２３ｃ２)は、存在すると判定された場合には、プリンタ装置２０（電子カメラ装置１０）からの接続要求に応じて通信モードの変更を要求する。
これにより、電子カメラ装置１０（プリンタ装置２０）は、プリンタ装置２０（電子カメラ装置１０）の動作モードをターゲットモードに変更させることが可能となる。
【００４６】
また、モード変更要求部１７ｅ２(２３ｃ２)は、接続要求に対する接続拒否応答を応答すると共に、通信モードの変更を要求する。
これにより、電子カメラ装置１０（プリンタ装置２０）は、プリンタ装置２０（電子カメラ装置１０）の動作モードをターゲットモードに変更させる要求を、接続要求に対する接続拒否応答と共に応答することが可能となる。
【００４７】
また、端末判定部は、通信制御部１５(２３)で動作させている通信モードがターゲットモードのときにプリンタ装置２０（電子カメラ装置１０）から接続要求を予め定められる所定時間内に受信しない場合には、プリンタ装置２０（電子カメラ装置１０）が存在すると判定する。
これにより、電子カメラ装置１０（プリンタ装置２０）は、プリンタ装置２０（電子カメラ装置１０）もターゲットモードで動作していると判定することが可能となる。
【００４８】
また、通信制御部１５(２３)は、通信制御部１５(２３)で動作させている通信モードがターゲットモードのときに端末判定部によりプリンタ装置２０（電子カメラ装置１０）が存在すると判定された場合には、通信モードをホストモードで動作させる。モード変更要求部１７ｅ２(２３ｃ２)は、プリンタ装置２０（電子カメラ装置１０）が存在すると判定された場合には、該プリンタ装置２０（電子カメラ装置１０）に対して前記通信モードの変更を要求する。
モード変更要求部１７ｅ２(２３ｃ２)は、通信制御部１５(２３)で動作させている通信モードがターゲットモードのときに端末判定部によりプリンタ装置２０（電子カメラ装置１０）が存在すると判定された場合には、通信制御部１５(２３)は、通信モードをホストモードで動作させ、該プリンタ装置２０（電子カメラ装置１０）に対して通信モードの変更を要求する。
これにより、電子カメラ装置１０（プリンタ装置２０）は、プリンタ装置２０（電子カメラ装置１０）の動作モードをホストモードに変更させることが可能となる。
【００４９】
また、モード変更要求部１７ｅ２(２３ｃ２)は、該プリンタ装置２０（電子カメラ装置１０）に対する接続要求を送信すると共に、通信モードの変更を要求する。
これにより、電子カメラ装置１０（プリンタ装置２０）は、プリンタ装置２０（電子カメラ装置１０）の動作モードをホストモードに変更させる要求を、接続要求に対する接続拒否応答と共に応答することが可能となる。
【００５０】
すなわち、上記の実施形態について整理すると、無線通信システム１は、電子カメラ装置１０とプリンタ装置２０とを対向させて中継する端末を介さずに１対１の無線通信を行う。
無線通信システム１における電子カメラ装置１０（プリンタ装置２０）は、無線通信を行う相手側端末に対して該無線通信におけるデータリンク層プロトコルの接続要求を送信するホストモードと該接続要求を送信しないターゲットモードを有して構成される。電子カメラ装置１０（プリンタ装置２０）における第１通信制御部１５(２３)は、ホストモードとターゲットモードのいずれかの通信モードで動作する。端末判定部は、通信制御部１５(２３)で動作させている通信モードと同一の通信モードで動作中のプリンタ装置２０（電子カメラ装置１０）が存在するか否かを判定する。モード変更要求部１７ｅ２(２３ｃ２)は、端末判定部によりプリンタ装置２０（電子カメラ装置１０）が存在すると判定された場合、プリンタ装置２０（電子カメラ装置１０）に対して通信モードの変更を要求する。
無線通信システム１におけるプリンタ装置２０（電子カメラ装置１０）は、ホストモードとターゲットモードを有して構成される。プリンタ装置２０（電子カメラ装置１０）における通信制御部２３（１５)は、ホストモードとターゲットモードのいずれかの通信モードで動作させるとともに、電子カメラ装置１０（プリンタ装置２０）からの通信モードの変更の要求に応じ、動作させている通信モードを変更する。
これにより、１対１の無線通信における回線接続処理を、ホストモードで動作する通信端末を所望の電子カメラ装置１０とプリンタ装置２０のいずれかに割り付けることが可能となる。そして、無線通信システム１は、回線接続処理を、所望の通信端末側から始めることが可能となる。
【００５１】
また、電子カメラ装置１０（プリンタ装置２０）は、無線通信を行う相手側端末に対して該無線通信におけるデータリンク層プロトコルの接続要求を送信するホストモードと該接続要求を送信しないターゲットモードを有し該ホストモードと該ターゲットモードのいずれかの通信モードで動作するプリンタ装置２０（電子カメラ装置１０）と、該無線通信を中継する端末を介さずに１対１の無線通信を行う。電子カメラ装置１０（プリンタ装置２０）における通信制御部１５(２３)は、ホストモードとターゲットモードとを有し、ホストモードとターゲットモードのいずれかの通信モードで動作させるとともに、プリンタ装置２０（電子カメラ装置１０）から通信モードの変更の要求があった場合には、その要求に応じて動作させている通信モードを変更する。
これにより、１対１の無線通信における回線接続処理を、ホストモードで動作する電子カメラ装置１０（プリンタ装置２０）を所望の無線通信端末に割り付けることが可能となる。そして、電子カメラ装置１０（プリンタ装置２０）は、回線接続処理を、プリンタ装置２０（電子カメラ装置１０）側の要求に応じて、通信モードを切換えて、所望の無線通信端末側から始めることが可能となる。
【００５２】
なお、本発明は、上記の各実施形態に限定されるものではなく、本発明の趣旨を逸脱しない範囲で変更可能である。本発明の無線通信システム１を構成する無線通信端末として電子カメラ装置１０とプリンタ装置２０を例示して説明したが、上記の構成を実現する他の形態の装置であっても良い。
また、電子カメラ装置１０とプリンタ装置２０の構成についても、例示した構成に制限はなく、他の構成とすることも可能である。
また、接続要求メッセージ１００Ｓ４、接続拒否メッセージ１００Ａ５によって、役割変更要求を同じメッセージ内に割り付けられた情報とする例を示したが、メッセージを分割して、別々のメッセージによって送付することとしても良い。
また、役割割付変更を行う際にユーザは、電子カメラ装置１０を操作することとしたが、プリンタ装置２０を操作することとしても良い。
また、制御部１７（２３）は、演算処理部をＣＰＵによって行うこととしたが、ＤＳＰ（Digital Signal Processor)などを用いる処理プログラムによって実行させることも容易である
【００５３】
また、上述の電子カメラ装置１０及びプリンタ装置２０として例示した無線通信端末は、その内部にコンピュータシステムを有している。そして、上述した通信制御に係る処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５４】
なお、本発明の無線通信システムは、無線通信システム１に相当する。また、本発明の無線通信端末と外部端末は、電子カメラ装置１０（１０ｈ、１０ｔ）とプリンタ装置２０（２０ｈ、２０ｔ）、或いは、プリンタ装置２０（２０ｈ、２０ｔ）と電子カメラ装置１０（１０ｈ、１０ｔ）に相当する。また、本発明の第１通信端末と第２通信端末は、電子カメラ装置１０（１０ｈ、１０ｔ）とプリンタ装置２０（２０ｈ、２０ｔ）、或いは、プリンタ装置２０（２０ｈ、２０ｔ）と電子カメラ装置１０（１０ｈ、１０ｔ）に相当する。また、本発明の通信制御部は、通信制御部１５、２３に相当する。また、本発明の端末判定部は、端末判定部１７ｅ１、２５ｃ１に相当する。また、本発明のモード変更要求部は、モード変更要求部１７ｅ２、２５ｃ２に相当する。また、本発明の第１通信モードは、ホストモードに相当する。また、本発明の第２通信モードは、ターゲットモードに相当する。
【図面の簡単な説明】
【００５５】
【図１】本発明の第１実施形態における通信システムの構成を示すブロック図である。
【図２】第１実施形態における無線通信端末の構成を示すブロック図である。
【図３】第１実施形態における無線通信端末の構成を示すブロック図である。
【図４】第１実施形態における無線通信端末の接続手順の役割を示す図である。
【図５】第１実施形態における無線通信端末の接続手順を示すシーケンス図である。
【図６】第１実施形態における無線通信端末の通信手順におけるメッセージ構成を示す図である。
【図７】第１実施形態における接続処理開始時における無線通信端末の役割を示すブロック図である。
【図８】第１実施形態における接続処理における役割変更手順を示すシーケンス図である。
【図９】第２実施形態における接続処理開始時における無線通信端末の役割を示すブロック図である。
【図１０】第２実施形態における接続処理における役割変更手順を示すシーケンス図である。
【符号の説明】
【００５６】
１０  電子カメラ装置
１１  撮像部
１２  記録媒体
１３  操作部
１４  表示部
１５  通信制御部
１６  記憶部
１７  制御部
１７ａ  撮像部制御処理部
１７ｂ  記録媒体制御部
１７ｃ  操作部制御処理部
１７ｄ  表示制御処理部
１７ｅ  通信制御処理部
１７ｅ１  端末判定処理部
１７ｅ２  モード変更要求処理部
【図１】
2010109608.tif 000003
【図２】
2010109608.tif 000004
【図３】
2010109608.tif 000005
【図４】
2010109608.tif 000006
【図５】
2010109608.tif 000007
【図６】
2010109608.tif 000008
【図７】
2010109608.tif 000009
【図８】
2010109608.tif 000010
【図９】
2010109608.tif 000011
【図１０】
2010109608.tif 000012